(57)【要約】【課題】本発明は自動的に塗るテスト鉛筆を開示した。【解決手段】ベースを含み、前記ベースの上側端面には鉛筆ロッドが設置され、前記鉛筆ロッドの中には下方へ開口したスライドチャンバが設置され、前記スライドチャンバの中には始動装置が設置され、前記ベースの中には伝動チャンバが設置され、前記伝動チャンバの頂端内壁には前記スライドチャンバと連通するように連結されている連通孔が連通するように連結され、前記伝動チャンバの底端内壁には前記連通孔の下端に位置している螺旋ロッドが設置され、前記伝動チャンバの中には前記螺旋ロッドに制御されて回転する振動装置が設置され、前記振動装置は前記始動装置に制御され、本発明は押して自動的に塗る方式を採用し、人で塗る時に塗る部分が不均一になって答えのスキャンの不正確を起こすという問題を避け、捺印に似ている操作過程も受験生の塗るスピードを遥かに向上させる。【選択図】図１
2020175643.tif 000002
【特許請求の範囲】
【請求項１】
正面視で、ベースを含み、前記ベースの上側端面には鉛筆ロッドが設置され、前記鉛筆ロッドの中には下方へ開口したスライドチャンバが設置され、前記スライドチャンバの中には始動装置が設置され、前記ベースの中には伝動チャンバが設置され、前記伝動チャンバの頂端内壁には前記スライドチャンバと連通するように連結されている連通孔が連通するように連結され、前記伝動チャンバの底端内壁には前記連通孔の下端に位置している螺旋ロッドが設置され、前記伝動チャンバの中には前記螺旋ロッドに制御されて回転する振動装置が設置され、前記振動装置は前記始動装置に制御され、前記伝動チャンバの下端には下方へ開口した開口溝が設置され、前記開口溝の頂端内壁には左右対称のスライドレールが連通するように設置され、前記スライドレールの中には支持ロッドがスライドできるように連結され、前記支持ロッドのうち対称中心に近接している側と前記スライドレールの内壁との間には圧縮バネが連結され、前記支持ロッドの上端には前記振動装置に当接している当接板が設置され、前記支持ロッドの下端の中には軌道箱が設置され、前記軌道箱の中には補填装置が回転できるように連結され、前記補填装置の中には挟み装置が設置され、石墨芯が前記挟み装置により固定され、塗るとき、前記ベースを答えの選択肢のところに覆い、設備を下方へ押し、鉛筆の芯と前記開口溝の下端端面とが水平になるまで、前記補填装置により調整し、前記始動装置を押し、前記振動装置により前記支持ロッドを前記スライドレールの中で往復にスライドさせ、これにより前記補填装置を左右にスライドさせ、石墨芯を連動させて答えのところにきれいに塗らせることを特徴とする自動的に塗るテスト鉛筆。
【請求項２】
前記始動装置は前記スライドチャンバの左右端に連通するように設置され、且つ対称的なスライド溝を含み、前記スライド溝の頂端内壁には引きロッドが回転できるように連結され、前記スライドチャンバの中にはスライド柱がスライドできるように連結され、前記スライド柱の中には左右対称の回転溝が設置され、前記回転溝の中には固定軸が回転できるように連結され、前記回転軸には前記引きロッドとヒンジにより連結されている押し板が設置され、前記押し板と前記固定軸との間には捻りバネが連結され、前記スライド柱の下端には前記螺旋ロッドとスライドできるように連結されることができる収納溝が設置され、前記押し板を押して対称中心の方向へ回転させ、前記引きロッドの長さが固定されているため、前記スライド柱を下方へ移動させて前記引きロッドが回転した後に距離値が増加する問題を解決することを特徴とする請求項１に記載の自動的に塗るテスト鉛筆。
【請求項３】
前記振動装置は前記スライド柱の下端端面に設置されているスライドリングを含み、前記スライドリングの中には左右対称の吊りロッドがスライドできるように連結され、前記吊りロッドの下端にはスライドリングが固定的に連結され、前記スライドリングの外側には前記当接板に当接している三角枠が固定的に連結され、前記円盤の中には前記螺旋ロッドに当接している螺旋口が設置され、前記スライド柱が下方へ移動して前記吊りロッドにより前記円盤を下方へ移動させ、この時、前記円盤は前記螺旋口と前記螺旋ロッドとの間の当接関係により回転し、前記三角枠の左右両側の長さが違うという特徴を利用して前記当接板を推し動かして左右にスライドさせることを特徴とする請求項１又は請求項２に記載の自動的に塗るテスト鉛筆。
【請求項４】
前記補填装置は前記開口溝の左右端の内壁に対称的に設置されている昇降溝を含み、前記昇降溝の中には底触れロッドがスライドできるように連結され、前記底触れロッドの上端と前記昇降溝の頂端内壁との間には復帰バネが連結され、前記軌道箱の中には左右に貫通しており、且つ下方へ開口した軌道溝が設置され、前記軌道溝の中には回転軸が回転できるように連結され、前記回転軸にはバネの弾性復元力により復帰できる回転ロッドが設置され、前記回転ロッドのうち対称中心から離れている一端には前記底触れロッドとヒンジより連結されているスライドロッドがスライドできるように連結され、前記スライドロッドと前記回転ロッドとの間には引っ張りバネが連結され、前記回転ロッドのうち対称中心に近接している端には連通溝が設置され、前記挟み装置と前記連通溝との間はスライドできるように連結され、前記スライドロッドと前記回転ロッドとの間のスライドできるように連結されていることは、前記支持ロッドが前記スライドレールの中でスライドしている時に長さの変化に適応し、同時に、前記底触れロッドが紙面に接触し、前記回転ロッドを推し動かして回転させ、前記連通溝により前記挟み装置の中の石墨芯と前記開口溝の下端端面とが水平になるまで前記挟み装置を引き動かして下方へ移動させることを特徴とする請求項１に記載の自動的に塗るテスト鉛筆。
【請求項５】
前記挟み装置は前記軌道溝とスライドできるように連結されている固定箱を含み、前記固定箱の中には上下に連通しているヒンジ連結チャンバが設置され、前記ヒンジ連結チャンバの中には前記連通溝とスライドできるように連結されているリミットロッドが固定的に連結され、前記固定箱のうち対称中心に近接している一端には引っ掛かり溝が設置され、前記引っ掛かり溝の頂端内壁には引っ掛かり板がスライドできるように連結され、前記引っ掛かり板と前記引っ掛かり溝の内壁との間には抗力バネが連結され、前記引っ掛かり板の間には鉛筆の芯が当接され、前記抗力バネの弾力により前記引っ掛かり板を互いに近接するように推し動かして移動させ、前記鉛筆の芯を挟み、人力により前記引っ掛かり板を推し動かし、取り替えることに便利を与えることを特徴とする請求項１又は請求項４に記載の自動的に塗るテスト鉛筆。
【発明の詳細な説明】
【技術分野】
【０００１】
本発明は文房具用品技術分野を取り上げて、具体的には自動的に塗るテスト鉛筆である。
【背景技術】
【０００２】
マークシート用鉛筆はマークする時に手動で往復に塗って選択肢を完全に覆う必要がある。この過程は時間がかかり、しかも塗る部分が不均一になるとスキャンの失敗をもたらし、解答しても採点されない情況を起こす。この問題を避けるため、本発明は上記の問題を解決できる装置を開示した。
【先行技術文献】
【特許文献】
【０００３】
【特許文献１】中国特許出願公開第１０５６９１０３８号明細書
【発明の概要】
【発明が解決しようとする課題】
【０００４】
本発明は自動的に塗るテスト鉛筆を提供し、従来技術における上記欠点を解消することを目的とする。
【課題を解決するための手段】
【０００５】
本発明の自動的に塗るテスト鉛筆は：ベースを含み、前記ベースの上側端面には鉛筆ロッドが設置され、前記鉛筆ロッドの中には下方へ開口したスライドチャンバが設置され、前記スライドチャンバの中には始動装置が設置され、前記ベースの中には伝動チャンバが設置され、前記伝動チャンバの頂端内壁には前記スライドチャンバと連通するように連結されている連通孔が連通するように連結され、前記伝動チャンバの底端内壁には前記連通孔の下端に位置している螺旋ロッドが設置され、前記伝動チャンバの中には前記螺旋ロッドに制御されて回転する振動装置が設置され、前記振動装置は前記始動装置に制御され、前記伝動チャンバの下端には下方へ開口した開口溝が設置され、前記開口溝の頂端内壁には左右対称のスライドレールが連通するように設置され、前記スライドレールの中には支持ロッドがスライドできるように連結され、前記支持ロッドのうち対称中心に近接している側と前記スライドレールの内壁との間には圧縮バネが連結され、前記支持ロッドの上端には前記振動装置に当接している当接板が設置され、前記支持ロッドの下端の中には軌道箱が設置され、前記軌道箱の中には補填装置が回転できるように連結され、前記補填装置の中には挟み装置が設置され、石墨芯が前記挟み装置により固定され、塗るとき、前記ベースを答えの選択肢のところに覆い、設備を下方へ押し、鉛筆の芯と前記開口溝の下端端面とが水平になるまで、前記補填装置により調整し、前記始動装置を押し、前記振動装置により前記支持ロッドを前記スライドレールの中で往復にスライドさせ、これにより前記補填装置を左右にスライドさせ、石墨芯を連動させて答えのところにきれいに塗らせる。
【０００６】
好ましくは、前記始動装置は前記スライドチャンバの左右端に連通するように設置され、且つ対称的なスライド溝を含み、前記スライド溝の頂端内壁には引きロッドが回転できるように連結され、前記スライドチャンバの中にはスライド柱がスライドできるように連結され、前記スライド柱の中には左右対称の回転溝が設置され、前記回転溝の中には固定軸が回転できるように連結され、前記回転軸には前記引きロッドとヒンジにより連結されている押し板が設置され、前記押し板と前記固定軸との間には捻りバネが連結され、前記スライド柱の下端には前記螺旋ロッドとスライドできるように連結されることができる収納溝が設置され、前記押し板を押して対称中心の方向へ回転させ、前記引きロッドの長さが固定されているため、前記スライド柱を下方へ移動させて前記引きロッドが回転した後に距離値が増加する問題を解決する。
【０００７】
好ましくは、前記振動装置は前記スライド柱の下端端面に設置されているスライドリングを含み、前記スライドリングの中には左右対称の吊りロッドがスライドできるように連結され、前記吊りロッドの下端にはスライドリングが固定的に連結され、前記スライドリングの外側には前記当接板に当接している三角枠が固定的に連結され、前記円盤の中には前記螺旋ロッドに当接している螺旋口が設置され、前記スライド柱が下方へ移動して前記吊りロッドにより前記円盤を下方へ移動させ、この時、前記円盤は前記螺旋口と前記螺旋ロッドとの間の当接関係により回転し、前記三角枠の左右両側の長さが違うという特徴を利用して前記当接板を推し動かして左右にスライドさせる。
【０００８】
好ましくは、前記補填装置は前記開口溝の左右端の内壁に対称的に設置されている昇降溝を含み、前記昇降溝の中には底触れロッドがスライドできるように連結され、前記底触れロッドの上端と前記昇降溝の頂端内壁との間には復帰バネが連結され、前記軌道箱の中には左右に貫通しており、且つ下方へ開口した軌道溝が設置され、前記軌道溝の中には回転軸が回転できるように連結され、前記回転軸にはバネの弾性復元力により復帰できる回転ロッドが設置され、前記回転ロッドのうち対称中心から離れている一端には前記底触れロッドとヒンジより連結されているスライドロッドがスライドできるように連結され、前記スライドロッドと前記回転ロッドとの間には引っ張りバネが連結され、前記回転ロッドのうち対称中心に近接している端には連通溝が設置され、前記挟み装置と前記連通溝との間はスライドできるように連結され、前記スライドロッドと前記回転ロッドとの間のスライドできるように連結されていることは、前記支持ロッドが前記スライドレールの中でスライドしている時に長さの変化に適応し、同時に、前記底触れロッドが紙面に接触し、前記回転ロッドを推し動かして回転させ、前記連通溝により前記挟み装置の中の石墨芯と前記開口溝の下端端面とが水平になるまで前記挟み装置を引き動かして下方へ移動させる。
【０００９】
好ましくは、前記挟み装置は前記軌道溝とスライドできるように連結されている固定箱を含み、前記固定箱の中には上下に連通しているヒンジ連結チャンバが設置され、前記ヒンジ連結チャンバの中には前記連通溝とスライドできるように連結されているリミットロッドが固定的に連結され、前記固定箱のうち対称中心に近接している一端には引っ掛かり溝が設置され、前記引っ掛かり溝の頂端内壁には引っ掛かり板がスライドできるように連結され、前記引っ掛かり板と前記引っ掛かり溝の内壁との間には抗力バネが連結され、前記引っ掛かり板の間には鉛筆の芯が当接され、前記抗力バネの弾力により前記引っ掛かり板を互いに近接するように推し動かして移動させ、前記鉛筆の芯を挟み、人力により前記引っ掛かり板を推し動かし、取り替えることに便利を与える。
【発明の効果】
【００１０】
本発明の有益効果は：本発明は従来の手動で塗る方式を変えたマークシートに使う鉛筆であり、押して自動的に塗る方式を採用し、人で塗る時に塗る部分が不均一になって答えのスキャンの不正確を起こすという問題を避け、捺印に似ている操作過程も受験生の塗るスピードを遥かに向上させ、テストの時間の余裕を保証する。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の自動的に塗るテスト鉛筆の全体構成模式図
【図２】図２は図１の三角枠の内部の構成模式図
【図３】図３は図１の「Ａ〜Ａ」の構成模式図
【図４】図４は図１の「Ｂ」の拡大構成模式図
【図５】図５は図４の固定箱の三次元の模式図
【発明を実施するための形態】
【００１３】
本発明の自動的に塗るテスト鉛筆は：ベース２２を含み、前記ベース２２の上側端面には鉛筆ロッド１１が設置され、前記鉛筆ロッド１１の中には下方へ開口したスライドチャンバ１２が設置され、前記スライドチャンバ１２の中には始動装置９０１が設置され、前記ベース２２の中には伝動チャンバ２３が設置され、前記伝動チャンバ２３の頂端内壁には前記スライドチャンバ１２と連通するように連結されている連通孔３６が連通するように連結され、前記伝動チャンバ２３の底端内壁には前記連通孔３６の下端に位置している螺旋ロッド３３が設置され、前記伝動チャンバ２３の中には前記螺旋ロッド３３に制御されて回転する振動装置９０２が設置され、前記振動装置９０２は前記始動装置９０１に制御され、前記伝動チャンバ２３の下端には下方へ開口した開口溝５１が設置され、前記開口溝５１の頂端内壁には左右対称のスライドレール２８が連通するように設置され、前記スライドレール２８の中には支持ロッド２１がスライドできるように連結され、前記支持ロッド２１のうち対称中心に近接している側と前記スライドレール２８の内壁との間には圧縮バネ３０が連結され、前記支持ロッド２１の上端には前記振動装置９０２に当接している当接板３５が設置され、前記支持ロッド２１の下端の中には軌道箱２９が設置され、前記軌道箱２９の中には補填装置９０３が回転できるように連結され、前記補填装置９０３の中には挟み装置９０４が設置され、石墨芯が前記挟み装置９０４により固定され、塗るとき、前記ベース２２を答えの選択肢のところに覆い、設備を下方へ押し、鉛筆の芯と前記開口溝５１の下端端面とが水平になるまで、前記補填装置９０３により調整し、前記始動装置９０１を押し、前記振動装置９０２により前記支持ロッド２１を前記スライドレール２８の中で往復にスライドさせ、これにより前記補填装置９０３を左右にスライドさせ、石墨芯を連動させて答えのところにきれいに塗らせる。
【００１４】
有益的には、前記始動装置９０１は前記スライドチャンバ１２の左右端に連通するように設置され、且つ対称的なスライド溝１４を含み、前記スライド溝１４の頂端内壁には引きロッド１３が回転できるように連結され、前記スライドチャンバ１２の中にはスライド柱１６がスライドできるように連結され、前記スライド柱１６の中には左右対称の回転溝１７が設置され、前記回転溝１７の中には固定軸１８が回転できるように連結され、前記回転軸１８には前記引きロッド１３とヒンジにより連結されている押し板１５が設置され、前記押し板１５と前記固定軸１８との間には捻りバネ４１が連結され、前記スライド柱１６の下端には前記螺旋ロッド３３とスライドできるように連結されることができる収納溝１９が設置され、前記押し板１５を押して対称中心の方向へ回転させ、前記引きロッド１３の長さが固定されているため、前記スライド柱１６を下方へ移動させて前記引きロッド１３が回転した後に距離値が増加する問題を解決する。
【００１５】
有益的には、前記振動装置９０２は前記スライド柱１６の下端端面に設置されているスライドリング３８を含み、前記スライドリング３８の中には左右対称の吊りロッド３７がスライドできるように連結され、前記吊りロッド３７の下端にはスライドリング３８が固定的に連結され、前記スライドリング３８の外側には前記当接板３５に当接している三角枠２０が固定的に連結され、前記円盤３９の中には前記螺旋ロッド３３に当接している螺旋口４０が設置され、前記スライド柱１６が下方へ移動して前記吊りロッド３７により前記円盤３９を下方へ移動させ、この時、前記円盤３９は前記螺旋口４０と前記螺旋ロッド３３との間の当接関係により回転し、前記三角枠２０の左右両側の長さが違うという特徴を利用して前記当接板３５を推し動かして左右にスライドさせる。
【００１６】
有益的には、前記補填装置９０３は前記開口溝５１の左右端の内壁に対称的に設置されている昇降溝２７を含み、前記昇降溝２７の中には底触れロッド２６がスライドできるように連結され、前記底触れロッド２６の上端と前記昇降溝２７の頂端内壁との間には復帰バネ２４が連結され、前記軌道箱２９の中には左右に貫通しており、且つ下方へ開口した軌道溝４４が設置され、前記軌道溝４４の中には回転軸４３が回転できるように連結され、前記回転軸４３にはバネの弾性復元力により復帰できる回転ロッド３４が設置され、前記回転ロッド３４のうち対称中心から離れている一端には前記底触れロッド２６とヒンジより連結されているスライドロッド２５がスライドできるように連結され、前記スライドロッド２５と前記回転ロッド３４との間には引っ張りバネ４２が連結され、前記回転ロッド３４のうち対称中心に近接している端には連通溝４６が設置され、前記挟み装置９０４と前記連通溝４６との間はスライドできるように連結され、前記スライドロッド２５と前記回転ロッド３４との間のスライドできるように連結されていることは、前記支持ロッド２１が前記スライドレール２８の中でスライドしている時に長さの変化に適応し、同時に、前記底触れロッド２６が紙面に接触し、前記回転ロッド３４を推し動かして回転させ、前記連通溝４６により前記挟み装置９０４の中の石墨芯と前記開口溝５１の下端端面とが水平になるまで前記挟み装置９０４を引き動かして下方へ移動させる。
【００１７】
有益的には、前記挟み装置９０４は前記軌道溝４４とスライドできるように連結されている固定箱３１を含み、前記固定箱３１の中には上下に連通しているヒンジ連結チャンバ４７が設置され、前記ヒンジ連結チャンバ４７の中には前記連通溝４６とスライドできるように連結されているリミットロッド４５が固定的に連結され、前記固定箱３１のうち対称中心に近接している一端には引っ掛かり溝５０が設置され、前記引っ掛かり溝５０の頂端内壁には引っ掛かり板４９がスライドできるように連結され、前記引っ掛かり板４９と前記引っ掛かり溝５０の内壁との間には抗力バネ４８が連結され、前記引っ掛かり板４９の間には鉛筆の芯３２が当接され、前記抗力バネ４８の弾力により前記引っ掛かり板４９を互いに近接するように推し動かして移動させ、前記鉛筆の芯３２を挟み、人力により前記引っ掛かり板４９を推し動かし、取り替えることに便利を与える。
【００１８】
鉛筆の芯を取り替える時、鉛筆の芯３２を握り、手動で鉛筆の芯３２を片側の引っ掛かり板４９の方向へ推し動かし、引っ掛かり板４９の間の距離を増やして鉛筆の芯３２を取り外し、新しい鉛筆の芯３２を取り替えて連通方法で装着し、抗力バネ４８の十分な弾力により鉛筆の芯３２が離脱しないことを保証する。
【００１９】
塗るとき、ベース２２を答えの選択肢のところに覆い、設備を下方へ押し、底触れ２６が昇降溝２７の中でスライドして上方へ移動することにより、底触れロッド２６とヒンジより連結されているスライドロッド２５が上方へ移動し、更に回転ロッド３４を連動させて回転させ、リミットロッド４５と連通溝４６との当接により、鉛筆の芯３２の下端端面と引っ掛かり溝５０の下端端面とが水平になるまで固定箱３１を引き動かして下方へ移動させ、この時、押し板１５を押して対称中心の方向へ回転させ、引きロッド１３の長さが固定されているため、スライド柱１６を下方へ移動させ、スライド柱１６が下方へ移動して吊りロッド３７により円盤３９を推し動かして下方へ移動させ、この時、円盤３９は螺旋口４０と螺旋ロッド３３との間の当接関係により回転し、三角枠２０の左右両側の長さが違うという特徴を利用して当接板３５を推し動かして左右にスライドさせ、当接板３５が支持ロッド２１により軌道箱２９を連動させて左右にスライドさせ、スライドロッド２５と回転ロッド３４との間のスライドできるように連結されていることにより、支持ロッド２１がスライドレール２８の中でスライドしている時に長さの変化に適応し、これにより最終的に鉛筆の芯３２が小幅に左右にスライドし、答えの塗りつぶしを保証する。
【００２０】
本発明の有益効果は：本発明は従来の手動で塗る方式を変えたマークシートに使う鉛筆であり、押して自動的に塗る方式を採用し、人で塗る時に塗る部分が不均一になって答えのスキャンの不正確を起こすという問題を避け、捺印に似ている操作過程も受験生の塗るスピードを遥かに向上させ、テストの時間の余裕を保証する。
【００２１】
以上の方式により、本分野の技術者が本発明の範囲内に作動モードにより各種な変化をすることができる。
【図１】
2020175643.tif 000003
【図２】
2020175643.tif 000004
【図３】
2020175643.tif 000005
【図４】
2020175643.tif 000006
【図５】
2020175643.tif 000007
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
正面視で、ベースを含み、前記ベースの上側端面には鉛筆ロッドが設置され、前記鉛筆ロッドの中には下方へ開口したスライドチャンバが設置され、前記スライドチャンバの中には始動装置が設置され、前記ベースの中には伝動チャンバが設置され、前記伝動チャンバの頂端内壁には前記スライドチャンバと連通するように連結されている連通孔が連通するように連結され、前記伝動チャンバの底端内壁には前記連通孔の下端に位置している螺旋ロッドが設置され、前記伝動チャンバの中には前記螺旋ロッドに制御されて回転する振動装置が設置され、前記振動装置は前記始動装置に制御され、前記伝動チャンバの下端には下方へ開口した開口溝が設置され、前記開口溝の頂端内壁には左右対称のスライドレールが連通するように設置され、前記スライドレールの中には支持ロッドがスライドできるように連結され、前記支持ロッドのうち対称中心に近接している側と前記スライドレールの内壁との間には圧縮バネが連結され、前記支持ロッドの上端には前記振動装置に当接している当接板が設置され、前記支持ロッドの下端の中には軌道箱が設置され、前記軌道箱の中には補填装置が回転できるように連結され、前記補填装置の中には挟み装置が設置され、石墨芯が前記挟み装置により固定され、塗るとき、前記ベースを答えの選択肢のところに覆い、設備を下方へ押し、鉛筆の芯と前記開口溝の下端端面とが水平になるまで、前記補填装置により調整し、前記始動装置を押し、前記振動装置により前記支持ロッドを前記スライドレールの中で往復にスライドさせ、これにより前記補填装置を左右にスライドさせ、石墨芯を連動させて答えのところにきれいに塗らせることを特徴とする自動的に塗るテスト鉛筆。
【請求項２】
前記始動装置は前記スライドチャンバの左右端に連通するように設置され、且つ対称的なスライド溝を含み、前記スライド溝の頂端内壁には引きロッドが回転できるように連結され、前記スライドチャンバの中にはスライド柱がスライドできるように連結され、前記スライド柱の中には左右対称の回転溝が設置され、前記回転溝の中には固定軸が回転できるように連結され、前記固定軸には前記引きロッドとヒンジにより連結されている押し板が設置され、前記押し板と前記固定軸との間には捻りバネが連結され、前記スライド柱の下端には前記螺旋ロッドとスライドできるように連結されることができる収納溝が設置され、前記押し板を押して対称中心の方向へ回転させ、前記引きロッドの長さが固定されているため、前記スライド柱を下方へ移動させて前記引きロッドが回転した後に距離値が増加する問題を解決することを特徴とする請求項１に記載の自動的に塗るテスト鉛筆。
【請求項３】
前記振動装置は前記スライド柱の下端端面に設置されているスライドリングを含み、前記スライドリングの中には左右対称の吊りロッドがスライドできるように連結され、前記吊りロッドの下端にはスライドリングが固定的に連結され、前記スライドリングの外側には前記当接板に当接している三角枠が固定的に連結され、前記円盤の中には前記螺旋ロッドに当接している螺旋口が設置され、前記スライド柱が下方へ移動して前記吊りロッドにより前記円盤を下方へ移動させ、この時、前記円盤は前記螺旋口と前記螺旋ロッドとの間の当接関係により回転し、前記三角枠の左右両側の長さが違うという特徴を利用して前記当接板を推し動かして左右にスライドさせることを特徴とする請求項２に記載の自動的に塗るテスト鉛筆。
【請求項４】
前記補填装置は前記開口溝の左右端の内壁に対称的に設置されている昇降溝を含み、前記昇降溝の中には底触れロッドがスライドできるように連結され、前記底触れロッドの上端と前記昇降溝の頂端内壁との間には復帰バネが連結され、前記軌道箱の中には左右に貫通しており、且つ下方へ開口した軌道溝が設置され、前記軌道溝の中には回転軸が回転できるように連結され、前記回転軸にはバネの弾性復元力により復帰できる回転ロッドが設置され、前記回転ロッドのうち対称中心から離れている一端には前記底触れロッドとヒンジより連結されているスライドロッドがスライドできるように連結され、前記スライドロッドと前記回転ロッドとの間には引っ張りバネが連結され、前記回転ロッドのうち対称中心に近接している端には連通溝が設置され、前記挟み装置と前記連通溝との間はスライドできるように連結され、前記スライドロッドと前記回転ロッドとの間のスライドできるように連結されていることは、前記支持ロッドが前記スライドレールの中でスライドしている時に長さの変化に適応し、同時に、前記底触れロッドが紙面に接触し、前記回転ロッドを推し動かして回転させ、前記連通溝により前記挟み装置の中の石墨芯と前記開口溝の下端端面とが水平になるまで前記挟み装置を引き動かして下方へ移動させることを特徴とする請求項１に記載の自動的に塗るテスト鉛筆。
【請求項５】
前記挟み装置は前記軌道溝とスライドできるように連結されている固定箱を含み、前記固定箱の中には上下に連通しているヒンジ連結チャンバが設置され、前記ヒンジ連結チャンバの中には前記連通溝とスライドできるように連結されているリミットロッドが固定的に連結され、前記固定箱のうち対称中心に近接している一端には引っ掛かり溝が設置され、前記引っ掛かり溝の頂端内壁には引っ掛かり板がスライドできるように連結され、前記引っ掛かり板と前記引っ掛かり溝の内壁との間には抗力バネが連結され、前記引っ掛かり板の間には鉛筆の芯が当接され、前記抗力バネの弾力により前記引っ掛かり板を互いに近接するように推し動かして移動させ、前記鉛筆の芯を挟み、人力により前記引っ掛かり板を推し動かし、取り替えることに便利を与えることを特徴とする請求項４に記載の自動的に塗るテスト鉛筆。
【手続補正２】
【補正対象書類名】明細書
【補正対象項目名】全文
【補正方法】変更
【補正の内容】
【発明の詳細な説明】
【技術分野】
【０００１】
本発明は文房具用品技術分野を取り上げて、具体的には自動的に塗るテスト鉛筆である。
【背景技術】
【０００２】
マークシート用鉛筆はマークする時に手動で往復に塗って選択肢を完全に覆う必要がある。この過程は時間がかかり、しかも塗る部分が不均一になるとスキャンの失敗をもたらし、解答しても採点されない情況を起こす。この問題を避けるため、本発明は上記の問題を解決できる装置を開示した。
【先行技術文献】
【特許文献】
【０００３】
【特許文献１】中国特許出願公開第１０５６９１０３８号明細書
【発明の概要】
【発明が解決しようとする課題】
【０００４】
本発明は自動的に塗るテスト鉛筆を提供し、従来技術における上記欠点を解消することを目的とする。
【課題を解決するための手段】
【０００５】
本発明の自動的に塗るテスト鉛筆は：ベースを含み、前記ベースの上側端面には鉛筆ロッドが設置され、前記鉛筆ロッドの中には下方へ開口したスライドチャンバが設置され、前記スライドチャンバの中には始動装置が設置され、前記ベースの中には伝動チャンバが設置され、前記伝動チャンバの頂端内壁には前記スライドチャンバと連通するように連結されている連通孔が連通するように連結され、前記伝動チャンバの底端内壁には前記連通孔の下端に位置している螺旋ロッドが設置され、前記伝動チャンバの中には前記螺旋ロッドに制御されて回転する振動装置が設置され、前記振動装置は前記始動装置に制御され、前記伝動チャンバの下端には下方へ開口した開口溝が設置され、前記開口溝の頂端内壁には左右対称のスライドレールが連通するように設置され、前記スライドレールの中には支持ロッドがスライドできるように連結され、前記支持ロッドのうち対称中心に近接している側と前記スライドレールの内壁との間には圧縮バネが連結され、前記支持ロッドの上端には前記振動装置に当接している当接板が設置され、前記支持ロッドの下端の中には軌道箱が設置され、前記軌道箱の中には補填装置が回転できるように連結され、前記補填装置の中には挟み装置が設置され、石墨芯が前記挟み装置により固定され、塗るとき、前記ベースを答えの選択肢のところに覆い、設備を下方へ押し、鉛筆の芯と前記開口溝の下端端面とが水平になるまで、前記補填装置により調整し、前記始動装置を押し、前記振動装置により前記支持ロッドを前記スライドレールの中で往復にスライドさせ、これにより前記補填装置を左右にスライドさせ、石墨芯を連動させて答えのところにきれいに塗らせる。
【０００６】
好ましくは、前記始動装置は前記スライドチャンバの左右端に連通するように設置され、且つ対称的なスライド溝を含み、前記スライド溝の頂端内壁には引きロッドが回転できるように連結され、前記スライドチャンバの中にはスライド柱がスライドできるように連結され、前記スライド柱の中には左右対称の回転溝が設置され、前記回転溝の中には固定軸が回転できるように連結され、前記固定軸には前記引きロッドとヒンジにより連結されている押し板が設置され、前記押し板と前記固定軸との間には捻りバネが連結され、前記スライド柱の下端には前記螺旋ロッドとスライドできるように連結されることができる収納溝が設置され、前記押し板を押して対称中心の方向へ回転させ、前記引きロッドの長さが固定されているため、前記スライド柱を下方へ移動させて前記引きロッドが回転した後に距離値が増加する問題を解決する。
【０００７】
好ましくは、前記振動装置は前記スライド柱の下端端面に設置されているスライドリングを含み、前記スライドリングの中には左右対称の吊りロッドがスライドできるように連結され、前記吊りロッドの下端にはスライドリングが固定的に連結され、前記スライドリングの外側には前記当接板に当接している三角枠が固定的に連結され、前記円盤の中には前記螺旋ロッドに当接している螺旋口が設置され、前記スライド柱が下方へ移動して前記吊りロッドにより前記円盤を下方へ移動させ、この時、前記円盤は前記螺旋口と前記螺旋ロッドとの間の当接関係により回転し、前記三角枠の左右両側の長さが違うという特徴を利用して前記当接板を推し動かして左右にスライドさせる。
【０００８】
好ましくは、前記補填装置は前記開口溝の左右端の内壁に対称的に設置されている昇降溝を含み、前記昇降溝の中には底触れロッドがスライドできるように連結され、前記底触れロッドの上端と前記昇降溝の頂端内壁との間には復帰バネが連結され、前記軌道箱の中には左右に貫通しており、且つ下方へ開口した軌道溝が設置され、前記軌道溝の中には回転軸が回転できるように連結され、前記回転軸にはバネの弾性復元力により復帰できる回転ロッドが設置され、前記回転ロッドのうち対称中心から離れている一端には前記底触れロッドとヒンジより連結されているスライドロッドがスライドできるように連結され、前記スライドロッドと前記回転ロッドとの間には引っ張りバネが連結され、前記回転ロッドのうち対称中心に近接している端には連通溝が設置され、前記挟み装置と前記連通溝との間はスライドできるように連結され、前記スライドロッドと前記回転ロッドとの間のスライドできるように連結されていることは、前記支持ロッドが前記スライドレールの中でスライドしている時に長さの変化に適応し、同時に、前記底触れロッドが紙面に接触し、前記回転ロッドを推し動かして回転させ、前記連通溝により前記挟み装置の中の石墨芯と前記開口溝の下端端面とが水平になるまで前記挟み装置を引き動かして下方へ移動させる。
【０００９】
好ましくは、前記挟み装置は前記軌道溝とスライドできるように連結されている固定箱を含み、前記固定箱の中には上下に連通しているヒンジ連結チャンバが設置され、前記ヒンジ連結チャンバの中には前記連通溝とスライドできるように連結されているリミットロッドが固定的に連結され、前記固定箱のうち対称中心に近接している一端には引っ掛かり溝が設置され、前記引っ掛かり溝の頂端内壁には引っ掛かり板がスライドできるように連結され、前記引っ掛かり板と前記引っ掛かり溝の内壁との間には抗力バネが連結され、前記引っ掛かり板の間には鉛筆の芯が当接され、前記抗力バネの弾力により前記引っ掛かり板を互いに近接するように推し動かして移動させ、前記鉛筆の芯を挟み、人力により前記引っ掛かり板を推し動かし、取り替えることに便利を与える。
【発明の効果】
【００１０】
本発明の有益効果は：本発明は従来の手動で塗る方式を変えたマークシートに使う鉛筆であり、押して自動的に塗る方式を採用し、人で塗る時に塗る部分が不均一になって答えのスキャンの不正確を起こすという問題を避け、捺印に似ている操作過程も受験生の塗るスピードを遥かに向上させ、テストの時間の余裕を保証する。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の自動的に塗るテスト鉛筆の全体構成模式図
【図２】図２は図１の三角枠の内部の構成模式図
【図３】図３は図１の「Ａ〜Ａ」の構成模式図
【図４】図４は図１の「Ｂ」の拡大構成模式図
【図５】図５は図４の固定箱の三次元の模式図
【発明を実施するための形態】
【００１３】
本発明の自動的に塗るテスト鉛筆は：ベース２２を含み、前記ベース２２の上側端面には鉛筆ロッド１１が設置され、前記鉛筆ロッド１１の中には下方へ開口したスライドチャンバ１２が設置され、前記スライドチャンバ１２の中には始動装置９０１が設置され、前記ベース２２の中には伝動チャンバ２３が設置され、前記伝動チャンバ２３の頂端内壁には前記スライドチャンバ１２と連通するように連結されている連通孔３６が連通するように連結され、前記伝動チャンバ２３の底端内壁には前記連通孔３６の下端に位置している螺旋ロッド３３が設置され、前記伝動チャンバ２３の中には前記螺旋ロッド３３に制御されて回転する振動装置９０２が設置され、前記振動装置９０２は前記始動装置９０１に制御され、前記伝動チャンバ２３の下端には下方へ開口した開口溝５１が設置され、前記開口溝５１の頂端内壁には左右対称のスライドレール２８が連通するように設置され、前記スライドレール２８の中には支持ロッド２１がスライドできるように連結され、前記支持ロッド２１のうち対称中心に近接している側と前記スライドレール２８の内壁との間には圧縮バネ３０が連結され、前記支持ロッド２１の上端には前記振動装置９０２に当接している当接板３５が設置され、前記支持ロッド２１の下端の中には軌道箱２９が設置され、前記軌道箱２９の中には補填装置９０３が回転できるように連結され、前記補填装置９０３の中には挟み装置９０４が設置され、石墨芯が前記挟み装置９０４により固定され、塗るとき、前記ベース２２を答えの選択肢のところに覆い、設備を下方へ押し、鉛筆の芯と前記開口溝５１の下端端面とが水平になるまで、前記補填装置９０３により調整し、前記始動装置９０１を押し、前記振動装置９０２により前記支持ロッド２１を前記スライドレール２８の中で往復にスライドさせ、これにより前記補填装置９０３を左右にスライドさせ、石墨芯を連動させて答えのところにきれいに塗らせる。
【００１４】
有益的には、前記始動装置９０１は前記スライドチャンバ１２の左右端に連通するように設置され、且つ対称的なスライド溝１４を含み、前記スライド溝１４の頂端内壁には引きロッド１３が回転できるように連結され、前記スライドチャンバ１２の中にはスライド柱１６がスライドできるように連結され、前記スライド柱１６の中には左右対称の回転溝１７が設置され、前記回転溝１７の中には固定軸１８が回転できるように連結され、前記固定軸１８には前記引きロッド１３とヒンジにより連結されている押し板１５が設置され、前記押し板１５と前記固定軸１８との間には捻りバネ４１が連結され、前記スライド柱１６の下端には前記螺旋ロッド３３とスライドできるように連結されることができる収納溝１９が設置され、前記押し板１５を押して対称中心の方向へ回転させ、前記引きロッド１３の長さが固定されているため、前記スライド柱１６を下方へ移動させて前記引きロッド１３が回転した後に距離値が増加する問題を解決する。
【００１５】
有益的には、前記振動装置９０２は前記スライド柱１６の下端端面に設置されているスライドリング３８を含み、前記スライドリング３８の中には左右対称の吊りロッド３７がスライドできるように連結され、前記吊りロッド３７の下端にはスライドリング３８が固定的に連結され、前記スライドリング３８の外側には前記当接板３５に当接している三角枠２０が固定的に連結され、前記円盤３９の中には前記螺旋ロッド３３に当接している螺旋口４０が設置され、前記スライド柱１６が下方へ移動して前記吊りロッド３７により前記円盤３９を下方へ移動させ、この時、前記円盤３９は前記螺旋口４０と前記螺旋ロッド３３との間の当接関係により回転し、前記三角枠２０の左右両側の長さが違うという特徴を利用して前記当接板３５を推し動かして左右にスライドさせる。
【００１６】
有益的には、前記補填装置９０３は前記開口溝５１の左右端の内壁に対称的に設置されている昇降溝２７を含み、前記昇降溝２７の中には底触れロッド２６がスライドできるように連結され、前記底触れロッド２６の上端と前記昇降溝２７の頂端内壁との間には復帰バネ２４が連結され、前記軌道箱２９の中には左右に貫通しており、且つ下方へ開口した軌道溝４４が設置され、前記軌道溝４４の中には回転軸４３が回転できるように連結され、前記回転軸４３にはバネの弾性復元力により復帰できる回転ロッド３４が設置され、前記回転ロッド３４のうち対称中心から離れている一端には前記底触れロッド２６とヒンジより連結されているスライドロッド２５がスライドできるように連結され、前記スライドロッド２５と前記回転ロッド３４との間には引っ張りバネ４２が連結され、前記回転ロッド３４のうち対称中心に近接している端には連通溝４６が設置され、前記挟み装置９０４と前記連通溝４６との間はスライドできるように連結され、前記スライドロッド２５と前記回転ロッド３４との間のスライドできるように連結されていることは、前記支持ロッド２１が前記スライドレール２８の中でスライドしている時に長さの変化に適応し、同時に、前記底触れロッド２６が紙面に接触し、前記回転ロッド３４を推し動かして回転させ、前記連通溝４６により前記挟み装置９０４の中の石墨芯と前記開口溝５１の下端端面とが水平になるまで前記挟み装置９０４を引き動かして下方へ移動させる。
【００１７】
有益的には、前記挟み装置９０４は前記軌道溝４４とスライドできるように連結されている固定箱３１を含み、前記固定箱３１の中には上下に連通しているヒンジ連結チャンバ４７が設置され、前記ヒンジ連結チャンバ４７の中には前記連通溝４６とスライドできるように連結されているリミットロッド４５が固定的に連結され、前記固定箱３１のうち対称中心に近接している一端には引っ掛かり溝５０が設置され、前記引っ掛かり溝５０の頂端内壁には引っ掛かり板４９がスライドできるように連結され、前記引っ掛かり板４９と前記引っ掛かり溝５０の内壁との間には抗力バネ４８が連結され、前記引っ掛かり板４９の間には鉛筆の芯３２が当接され、前記抗力バネ４８の弾力により前記引っ掛かり板４９を互いに近接するように推し動かして移動させ、前記鉛筆の芯３２を挟み、人力により前記引っ掛かり板４９を推し動かし、取り替えることに便利を与える。
【００１８】
鉛筆の芯を取り替える時、鉛筆の芯３２を握り、手動で鉛筆の芯３２を片側の引っ掛かり板４９の方向へ推し動かし、引っ掛かり板４９の間の距離を増やして鉛筆の芯３２を取り外し、新しい鉛筆の芯３２を取り替えて連通方法で装着し、抗力バネ４８の十分な弾力により鉛筆の芯３２が離脱しないことを保証する。
【００１９】
塗るとき、ベース２２を答えの選択肢のところに覆い、設備を下方へ押し、底触れ２６が昇降溝２７の中でスライドして上方へ移動することにより、底触れロッド２６とヒンジより連結されているスライドロッド２５が上方へ移動し、更に回転ロッド３４を連動させて回転させ、リミットロッド４５と連通溝４６との当接により、鉛筆の芯３２の下端端面と引っ掛かり溝５０の下端端面とが水平になるまで固定箱３１を引き動かして下方へ移動させ、この時、押し板１５を押して対称中心の方向へ回転させ、引きロッド１３の長さが固定されているため、スライド柱１６を下方へ移動させ、スライド柱１６が下方へ移動して吊りロッド３７により円盤３９を推し動かして下方へ移動させ、この時、円盤３９は螺旋口４０と螺旋ロッド３３との間の当接関係により回転し、三角枠２０の左右両側の長さが違うという特徴を利用して当接板３５を推し動かして左右にスライドさせ、当接板３５が支持ロッド２１により軌道箱２９を連動させて左右にスライドさせ、スライドロッド２５と回転ロッド３４との間のスライドできるように連結されていることにより、支持ロッド２１がスライドレール２８の中でスライドしている時に長さの変化に適応し、これにより最終的に鉛筆の芯３２が小幅に左右にスライドし、答えの塗りつぶしを保証する。
【００２０】
本発明の有益効果は：本発明は従来の手動で塗る方式を変えたマークシートに使う鉛筆であり、押して自動的に塗る方式を採用し、人で塗る時に塗る部分が不均一になって答えのスキャンの不正確を起こすという問題を避け、捺印に似ている操作過程も受験生の塗るスピードを遥かに向上させ、テストの時間の余裕を保証する。
【００２１】
以上の方式により、本分野の技術者が本発明の範囲内に作動モードにより各種な変化をすることができる。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
正面視で、ベースを含み、前記ベースの上側端面には鉛筆ロッドが設置され、前記鉛筆ロッドの中には下方へ開口したスライドチャンバが設置され、前記スライドチャンバの中には始動装置が設置され、前記ベースの中には伝動チャンバが設置され、前記伝動チャンバの頂端内壁には前記スライドチャンバと連通するように連結されている連通孔が連通するように連結され、前記伝動チャンバの底端内壁には前記連通孔の下端に位置している螺旋ロッドが設置され、前記伝動チャンバの中には前記螺旋ロッドに制御されて回転する振動装置が設置され、前記振動装置は前記始動装置に制御され、前記伝動チャンバの下端には下方へ開口した開口溝が設置され、前記開口溝の頂端内壁には左右対称のスライドレールが連通するように設置され、前記スライドレールの中には支持ロッドがスライドできるように連結され、前記支持ロッドのうち対称中心に近接している側と前記スライドレールの内壁との間には圧縮バネが連結され、前記支持ロッドの上端には前記振動装置に当接している当接板が設置され、前記支持ロッドの下端には軌道箱が設置され、前記軌道箱の中には補填装置が回転できるように連結され、前記補填装置の中には挟み装置が設置され、石墨芯が前記挟み装置により固定され、塗るとき、前記ベースを答えの選択肢のところに覆い、設備を下方へ押し、鉛筆の芯と前記開口溝の下端端面とが水平になるまで、前記補填装置により調整し、前記始動装置を押し、前記振動装置により前記支持ロッドを前記スライドレールの中で往復にスライドさせ、これにより前記補填装置を左右にスライドさせ、石墨芯を連動させて答えのところにきれいに塗らせることを特徴とする自動的に塗るテスト鉛筆。
【請求項２】
前記始動装置は前記スライドチャンバの左右端に連通するように設置され、且つ対称的なスライド溝を含み、前記スライド溝の頂端内壁には引きロッドが回転できるように連結され、前記スライドチャンバの中にはスライド柱がスライドできるように連結され、前記スライド柱の中には左右対称の回転溝が設置され、前記回転溝の中には固定軸が回転できるように連結され、前記固定軸には前記引きロッドとヒンジにより連結されている押し板が設置され、前記押し板と前記固定軸との間には捻りバネが連結され、前記スライド柱の下端には前記螺旋ロッドとスライドできるように連結されることができる収納溝が設置され、前記押し板を押して対称中心の方向へ回転させ、前記引きロッドの長さが固定されているため、前記スライド柱を下方へ移動させて前記引きロッドが回転した後に距離値が増加する問題を解決することを特徴とする請求項１に記載の自動的に塗るテスト鉛筆。
【請求項３】
前記振動装置は前記スライド柱の下端端面に設置されているスライドリングを含み、前記スライドリングの中には左右対称の吊りロッドがスライドできるように連結され、前記吊りロッドの下端にはスライドリングが固定的に連結され、前記スライドリングの外側には前記当接板に当接している三角枠が固定的に連結され、前記三角枠の中には円盤が設けられ、前記円盤の中には前記螺旋ロッドに当接している螺旋口が設置され、前記スライド柱が下方へ移動して前記吊りロッドにより前記円盤を下方へ移動させ、この時、前記円盤は前記螺旋口と前記螺旋ロッドとの間の当接関係により回転し、前記三角枠の左右両側の長さが違うという特徴を利用して前記当接板を推し動かして左右にスライドさせることを特徴とする請求項２に記載の自動的に塗るテスト鉛筆。
【請求項４】
前記補填装置は前記開口溝の左右端の内壁に対称的に設置されている昇降溝を含み、前記昇降溝の中には底触れロッドがスライドできるように連結され、前記底触れロッドの上端と前記昇降溝の頂端内壁との間には復帰バネが連結され、前記軌道箱の中には左右に貫通しており、且つ下方へ開口した軌道溝が設置され、前記軌道溝の中には回転軸が回転できるように連結され、前記回転軸にはバネの弾性復元力により復帰できる回転ロッドが設置され、前記回転ロッドのうち対称中心から離れている一端には前記底触れロッドとヒンジより連結されているスライドロッドがスライドできるように連結され、前記スライドロッドと前記回転ロッドとの間には引っ張りバネが連結され、前記回転ロッドのうち対称中心に近接している端には連通溝が設置され、前記挟み装置と前記連通溝との間はスライドできるように連結され、前記スライドロッドと前記回転ロッドとの間のスライドできるように連結されていることは、前記支持ロッドが前記スライドレールの中でスライドしている時に長さの変化に適応し、同時に、前記底触れロッドが紙面に接触し、前記回転ロッドを推し動かして回転させ、前記連通溝により前記挟み装置の中の石墨芯と前記開口溝の下端端面とが水平になるまで前記挟み装置を引き動かして下方へ移動させることを特徴とする請求項１に記載の自動的に塗るテスト鉛筆。
【請求項５】
前記挟み装置は前記軌道溝とスライドできるように連結されている固定箱を含み、前記固定箱の中には上下に連通しているヒンジ連結チャンバが設置され、前記ヒンジ連結チャンバの中には前記連通溝とスライドできるように連結されているリミットロッドが固定的に連結され、前記固定箱のうち対称中心に近接している一端には引っ掛かり溝が設置され、前記引っ掛かり溝の頂端内壁には引っ掛かり板がスライドできるように連結され、前記引っ掛かり板と前記引っ掛かり溝の内壁との間には抗力バネが連結され、前記引っ掛かり板の間には鉛筆の芯が当接され、前記抗力バネの弾力により前記引っ掛かり板を互いに近接するように推し動かして移動させ、前記鉛筆の芯を挟み、人力により前記引っ掛かり板を推し動かし、取り替えることに便利を与えることを特徴とする請求項４に記載の自動的に塗るテスト鉛筆。
【手続補正２】
【補正対象書類名】明細書
【補正対象項目名】全文
【補正方法】変更
【補正の内容】
【発明の詳細な説明】
【技術分野】
【０００１】
本発明は文房具用品技術分野を取り上げて、具体的には自動的に塗るテスト鉛筆である。
【背景技術】
【０００２】
マークシート用鉛筆はマークする時に手動で往復に塗って選択肢を完全に覆う必要がある。この過程は時間がかかり、しかも塗る部分が不均一になるとスキャンの失敗をもたらし、解答しても採点されない情況を起こす。この問題を避けるため、本発明は上記の問題を解決できる装置を開示した。
【先行技術文献】
【特許文献】
【０００３】
【特許文献１】中国特許出願公開第１０５６９１０３８号明細書
【発明の概要】
【発明が解決しようとする課題】
【０００４】
本発明は自動的に塗るテスト鉛筆を提供し、従来技術における上記欠点を解消することを目的とする。
【課題を解決するための手段】
【０００５】
本発明の自動的に塗るテスト鉛筆は：ベースを含み、前記ベースの上側端面には鉛筆ロッドが設置され、前記鉛筆ロッドの中には下方へ開口したスライドチャンバが設置され、前記スライドチャンバの中には始動装置が設置され、前記ベースの中には伝動チャンバが設置され、前記伝動チャンバの頂端内壁には前記スライドチャンバと連通するように連結されている連通孔が連通するように連結され、前記伝動チャンバの底端内壁には前記連通孔の下端に位置している螺旋ロッドが設置され、前記伝動チャンバの中には前記螺旋ロッドに制御されて回転する振動装置が設置され、前記振動装置は前記始動装置に制御され、前記伝動チャンバの下端には下方へ開口した開口溝が設置され、前記開口溝の頂端内壁には左右対称のスライドレールが連通するように設置され、前記スライドレールの中には支持ロッドがスライドできるように連結され、前記支持ロッドのうち対称中心に近接している側と前記スライドレールの内壁との間には圧縮バネが連結され、前記支持ロッドの上端には前記振動装置に当接している当接板が設置され、前記支持ロッドの下端には軌道箱が設置され、前記軌道箱の中には補填装置が回転できるように連結され、前記補填装置の中には挟み装置が設置され、石墨芯が前記挟み装置により固定され、塗るとき、前記ベースを答えの選択肢のところに覆い、設備を下方へ押し、鉛筆の芯と前記開口溝の下端端面とが水平になるまで、前記補填装置により調整し、前記始動装置を押し、前記振動装置により前記支持ロッドを前記スライドレールの中で往復にスライドさせ、これにより前記補填装置を左右にスライドさせ、石墨芯を連動させて答えのところにきれいに塗らせる。
【０００６】
好ましくは、前記始動装置は前記スライドチャンバの左右端に連通するように設置され、且つ対称的なスライド溝を含み、前記スライド溝の頂端内壁には引きロッドが回転できるように連結され、前記スライドチャンバの中にはスライド柱がスライドできるように連結され、前記スライド柱の中には左右対称の回転溝が設置され、前記回転溝の中には固定軸が回転できるように連結され、前記固定軸には前記引きロッドとヒンジにより連結されている押し板が設置され、前記押し板と前記固定軸との間には捻りバネが連結され、前記スライド柱の下端には前記螺旋ロッドとスライドできるように連結されることができる収納溝が設置され、前記押し板を押して対称中心の方向へ回転させ、前記引きロッドの長さが固定されているため、前記スライド柱を下方へ移動させて前記引きロッドが回転した後に距離値が増加する問題を解決する。
【０００７】
好ましくは、前記振動装置は前記スライド柱の下端端面に設置されているスライドリングを含み、前記スライドリングの中には左右対称の吊りロッドがスライドできるように連結され、前記吊りロッドの下端にはスライドリングが固定的に連結され、前記スライドリングの外側には前記当接板に当接している三角枠が固定的に連結され、前記三角枠の中には円盤が設けられ、前記円盤の中には前記螺旋ロッドに当接している螺旋口が設置され、前記スライド柱が下方へ移動して前記吊りロッドにより前記円盤を下方へ移動させ、この時、前記円盤は前記螺旋口と前記螺旋ロッドとの間の当接関係により回転し、前記三角枠の左右両側の長さが違うという特徴を利用して前記当接板を推し動かして左右にスライドさせる。
【０００８】
好ましくは、前記補填装置は前記開口溝の左右端の内壁に対称的に設置されている昇降溝を含み、前記昇降溝の中には底触れロッドがスライドできるように連結され、前記底触れロッドの上端と前記昇降溝の頂端内壁との間には復帰バネが連結され、前記軌道箱の中には左右に貫通しており、且つ下方へ開口した軌道溝が設置され、前記軌道溝の中には回転軸が回転できるように連結され、前記回転軸にはバネの弾性復元力により復帰できる回転ロッドが設置され、前記回転ロッドのうち対称中心から離れている一端には前記底触れロッドとヒンジより連結されているスライドロッドがスライドできるように連結され、前記スライドロッドと前記回転ロッドとの間には引っ張りバネが連結され、前記回転ロッドのうち対称中心に近接している端には連通溝が設置され、前記挟み装置と前記連通溝との間はスライドできるように連結され、前記スライドロッドと前記回転ロッドとの間のスライドできるように連結されていることは、前記支持ロッドが前記スライドレールの中でスライドしている時に長さの変化に適応し、同時に、前記底触れロッドが紙面に接触し、前記回転ロッドを推し動かして回転させ、前記連通溝により前記挟み装置の中の石墨芯と前記開口溝の下端端面とが水平になるまで前記挟み装置を引き動かして下方へ移動させる。
【０００９】
好ましくは、前記挟み装置は前記軌道溝とスライドできるように連結されている固定箱を含み、前記固定箱の中には上下に連通しているヒンジ連結チャンバが設置され、前記ヒンジ連結チャンバの中には前記連通溝とスライドできるように連結されているリミットロッドが固定的に連結され、前記固定箱のうち対称中心に近接している一端には引っ掛かり溝が設置され、前記引っ掛かり溝の頂端内壁には引っ掛かり板がスライドできるように連結され、前記引っ掛かり板と前記引っ掛かり溝の内壁との間には抗力バネが連結され、前記引っ掛かり板の間には鉛筆の芯が当接され、前記抗力バネの弾力により前記引っ掛かり板を互いに近接するように推し動かして移動させ、前記鉛筆の芯を挟み、人力により前記引っ掛かり板を推し動かし、取り替えることに便利を与える。
【発明の効果】
【００１０】
本発明の有益効果は：本発明は従来の手動で塗る方式を変えたマークシートに使う鉛筆であり、押して自動的に塗る方式を採用し、人で塗る時に塗る部分が不均一になって答えのスキャンの不正確を起こすという問題を避け、捺印に似ている操作過程も受験生の塗るスピードを遥かに向上させ、テストの時間の余裕を保証する。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の自動的に塗るテスト鉛筆の全体構成模式図
【図２】図２は図１の三角枠の内部の構成模式図
【図３】図３は図１の「Ａ〜Ａ」の構成模式図
【図４】図４は図１の「Ｂ」の拡大構成模式図
【図５】図５は図４の固定箱の三次元の模式図
【発明を実施するための形態】
【００１３】
本発明の自動的に塗るテスト鉛筆は：ベース２２を含み、前記ベース２２の上側端面には鉛筆ロッド１１が設置され、前記鉛筆ロッド１１の中には下方へ開口したスライドチャンバ１２が設置され、前記スライドチャンバ１２の中には始動装置９０１が設置され、前記ベース２２の中には伝動チャンバ２３が設置され、前記伝動チャンバ２３の頂端内壁には前記スライドチャンバ１２と連通するように連結されている連通孔３６が連通するように連結され、前記伝動チャンバ２３の底端内壁には前記連通孔３６の下端に位置している螺旋ロッド３３が設置され、前記伝動チャンバ２３の中には前記螺旋ロッド３３に制御されて回転する振動装置９０２が設置され、前記振動装置９０２は前記始動装置９０１に制御され、前記伝動チャンバ２３の下端には下方へ開口した開口溝５１が設置され、前記開口溝５１の頂端内壁には左右対称のスライドレール２８が連通するように設置され、前記スライドレール２８の中には支持ロッド２１がスライドできるように連結され、前記支持ロッド２１のうち対称中心に近接している側と前記スライドレール２８の内壁との間には圧縮バネ３０が連結され、前記支持ロッド２１の上端には前記振動装置９０２に当接している当接板３５が設置され、前記支持ロッド２１の下端には軌道箱２９が設置され、前記軌道箱２９の中には補填装置９０３が回転できるように連結され、前記補填装置９０３の中には挟み装置９０４が設置され、石墨芯が前記挟み装置９０４により固定され、塗るとき、前記ベース２２を答えの選択肢のところに覆い、設備を下方へ押し、鉛筆の芯と前記開口溝５１の下端端面とが水平になるまで、前記補填装置９０３により調整し、前記始動装置９０１を押し、前記振動装置９０２により前記支持ロッド２１を前記スライドレール２８の中で往復にスライドさせ、これにより前記補填装置９０３を左右にスライドさせ、石墨芯を連動させて答えのところにきれいに塗らせる。
【００１４】
有益的には、前記始動装置９０１は前記スライドチャンバ１２の左右端に連通するように設置され、且つ対称的なスライド溝１４を含み、前記スライド溝１４の頂端内壁には引きロッド１３が回転できるように連結され、前記スライドチャンバ１２の中にはスライド柱１６がスライドできるように連結され、前記スライド柱１６の中には左右対称の回転溝１７が設置され、前記回転溝１７の中には固定軸１８が回転できるように連結され、前記固定軸１８には前記引きロッド１３とヒンジにより連結されている押し板１５が設置され、前記押し板１５と前記固定軸１８との間には捻りバネ４１が連結され、前記スライド柱１６の下端には前記螺旋ロッド３３とスライドできるように連結されることができる収納溝１９が設置され、前記押し板１５を押して対称中心の方向へ回転させ、前記引きロッド１３の長さが固定されているため、前記スライド柱１６を下方へ移動させて前記引きロッド１３が回転した後に距離値が増加する問題を解決する。
【００１５】
有益的には、前記振動装置９０２は前記スライド柱１６の下端端面に設置されているスライドリング３８を含み、前記スライドリング３８の中には左右対称の吊りロッド３７がスライドできるように連結され、前記吊りロッド３７の下端にはスライドリング３８が固定的に連結され、前記スライドリング３８の外側には前記当接板３５に当接している三角枠２０が固定的に連結され、前記三角枠２０の中には円盤３９が設けられ、前記円盤３９の中には前記螺旋ロッド３３に当接している螺旋口４０が設置され、前記スライド柱１６が下方へ移動して前記吊りロッド３７により前記円盤３９を下方へ移動させ、この時、前記円盤３９は前記螺旋口４０と前記螺旋ロッド３３との間の当接関係により回転し、前記三角枠２０の左右両側の長さが違うという特徴を利用して前記当接板３５を推し動かして左右にスライドさせる。
【００１６】
有益的には、前記補填装置９０３は前記開口溝５１の左右端の内壁に対称的に設置されている昇降溝２７を含み、前記昇降溝２７の中には底触れロッド２６がスライドできるように連結され、前記底触れロッド２６の上端と前記昇降溝２７の頂端内壁との間には復帰バネ２４が連結され、前記軌道箱２９の中には左右に貫通しており、且つ下方へ開口した軌道溝４４が設置され、前記軌道溝４４の中には回転軸４３が回転できるように連結され、前記回転軸４３にはバネの弾性復元力により復帰できる回転ロッド３４が設置され、前記回転ロッド３４のうち対称中心から離れている一端には前記底触れロッド２６とヒンジより連結されているスライドロッド２５がスライドできるように連結され、前記スライドロッド２５と前記回転ロッド３４との間には引っ張りバネ４２が連結され、前記回転ロッド３４のうち対称中心に近接している端には連通溝４６が設置され、前記挟み装置９０４と前記連通溝４６との間はスライドできるように連結され、前記スライドロッド２５と前記回転ロッド３４との間のスライドできるように連結されていることは、前記支持ロッド２１が前記スライドレール２８の中でスライドしている時に長さの変化に適応し、同時に、前記底触れロッド２６が紙面に接触し、前記回転ロッド３４を推し動かして回転させ、前記連通溝４６により前記挟み装置９０４の中の石墨芯と前記開口溝５１の下端端面とが水平になるまで前記挟み装置９０４を引き動かして下方へ移動させる。
【００１７】
有益的には、前記挟み装置９０４は前記軌道溝４４とスライドできるように連結されている固定箱３１を含み、前記固定箱３１の中には上下に連通しているヒンジ連結チャンバ４７が設置され、前記ヒンジ連結チャンバ４７の中には前記連通溝４６とスライドできるように連結されているリミットロッド４５が固定的に連結され、前記固定箱３１のうち対称中心に近接している一端には引っ掛かり溝５０が設置され、前記引っ掛かり溝５０の頂端内壁には引っ掛かり板４９がスライドできるように連結され、前記引っ掛かり板４９と前記引っ掛かり溝５０の内壁との間には抗力バネ４８が連結され、前記引っ掛かり板４９の間には鉛筆の芯３２が当接され、前記抗力バネ４８の弾力により前記引っ掛かり板４９を互いに近接するように推し動かして移動させ、前記鉛筆の芯３２を挟み、人力により前記引っ掛かり板４９を推し動かし、取り替えることに便利を与える。
【００１８】
鉛筆の芯を取り替える時、鉛筆の芯３２を握り、手動で鉛筆の芯３２を片側の引っ掛かり板４９の方向へ推し動かし、引っ掛かり板４９の間の距離を増やして鉛筆の芯３２を取り外し、新しい鉛筆の芯３２を取り替えて連通方法で装着し、抗力バネ４８の十分な弾力により鉛筆の芯３２が離脱しないことを保証する。
【００１９】
塗るとき、ベース２２を答えの選択肢のところに覆い、設備を下方へ押し、底触れ２６が昇降溝２７の中でスライドして上方へ移動することにより、底触れロッド２６とヒンジより連結されているスライドロッド２５が上方へ移動し、更に回転ロッド３４を連動させて回転させ、リミットロッド４５と連通溝４６との当接により、鉛筆の芯３２の下端端面と引っ掛かり溝５０の下端端面とが水平になるまで固定箱３１を引き動かして下方へ移動させ、この時、押し板１５を押して対称中心の方向へ回転させ、引きロッド１３の長さが固定されているため、スライド柱１６を下方へ移動させ、スライド柱１６が下方へ移動して吊りロッド３７により円盤３９を推し動かして下方へ移動させ、この時、円盤３９は螺旋口４０と螺旋ロッド３３との間の当接関係により回転し、三角枠２０の左右両側の長さが違うという特徴を利用して当接板３５を推し動かして左右にスライドさせ、当接板３５が支持ロッド２１により軌道箱２９を連動させて左右にスライドさせ、スライドロッド２５と回転ロッド３４との間のスライドできるように連結されていることにより、支持ロッド２１がスライドレール２８の中でスライドしている時に長さの変化に適応し、これにより最終的に鉛筆の芯３２が小幅に左右にスライドし、答えの塗りつぶしを保証する。
【００２０】
本発明の有益効果は：本発明は従来の手動で塗る方式を変えたマークシートに使う鉛筆であり、押して自動的に塗る方式を採用し、人で塗る時に塗る部分が不均一になって答えのスキャンの不正確を起こすという問題を避け、捺印に似ている操作過程も受験生の塗るスピードを遥かに向上させ、テストの時間の余裕を保証する。
【００２１】
以上の方式により、本分野の技術者が本発明の範囲内に作動モードにより各種な変化をすることができる。